【事件の表示】
　特願２００３−　９１５７４「プリンタ装置」拒絶査定不服審判事件〔平成１６年１０月２８日出願公開、特開２００４−２９９０７２〕について、次のとおり審決する。
【結　論】
　本件審判の請求は、成り立たない。
【理　由】
１　手続の経緯・本願発明
（１）手続の経緯
　本願は、平成１５年３月２８日の出願であって、平成２１年６月２９日に手続補正がなされ、同年７月２９日付けで拒絶査定がなされ、これに対して、同年１１月４日に拒絶査定不服審判が請求されたものである。
　
（２）本願発明
　本願の請求項１ないし７に係る発明は、平成２１年６月２９日付け手続補正によって補正された明細書及び図面の記載からみて、その特許請求の範囲の請求項１ないし７に記載された事項により特定されるとおりのものであると認められるところ、請求項１に係る発明（以下「本願発明」という。）は次のとおりである。
　
「装着された記録メディアから画像ファイルを読み出し、印刷指定情報に基づいて印刷処理を実行するようにしたプリンタ装置において、前記記録メディアから前記画像ファイルに関する情報である親フォルダのフォルダサイズ及び／又は画像ファイルのファイルサイズを含むファイル関連情報を読み出して不揮発性メモリに記憶させる第１記憶制御手段と、画像ファイルの印刷残り情報を不揮発性メモリに記憶させる第２記憶制御手段と、一旦電源がＯＦＦされた後の電源ＯＮ時に前記不揮発性メモリ内の前記ファイル関連情報と装着状態の記録メディアから得られるファイル関連情報とに基づいて、当該装着状態の記録メディアが前記電源のＯＦＦ前に装着されていた状態の記録メディアと同一であるかどうかを判断する判断手段と、を備えたことを特徴とするプリンタ装置。」
　
２　刊行物の記載事項
　原査定の拒絶の理由に引用された「本願の出願前に頒布された刊行物である特開２０００−１１８０９０号公報（以下「引用例」という。）」には、図とともに次の事項が記載されている（下線は審決で付した。）。
（１）「【０００４】このようなプリンタとして、たとえば、特開平6-8537号公報には、
メモリカードに書き込まれている画像データをプリントジョブで指定された枚数および順序でプリントするプリンタシステム
【０００５】
【発明が解決しようとする課題】しかしながら、従来例のような
プリンタシステムは、自動プリントを実行中に、たとえば、
プリント途中で紙切れが発生したり、突然に電源断となるような状態が発生したりする場合など予期せぬ原因によって自動プリント動作が途中で中断されると、たとえその後にプリンタが動作可能状態に復帰した場合では、その自動実行中のプリント動作を中断途中から再開することができなかった
【０００６】したがって操作者は、プリントがどこまで完了しているかを確認し、プリントジョブ情報からプリント完了分データを除去してから、残りのプリント得るための再設定、つまりプリントジョブ情報の再作成をしなければならず、これは非常にわずらわしい作業であった。もちろん、最初から自動プリントをやり直すことは可能であるが、これでは既に出力されているプリントが無駄になる。
【０００７】
また、自動プリントを行なうためのプリントジョブ情報がメモリカードに記憶されていなければ自動プリントは実行できないが、操作者は外観的には自動プリントファイルがカードに格納されているかどうか、
を判別することができず、さらには、プリントジョブ情報がメモリカードに記録されていたとしても、自動プリントが途中で中断されたものであるか、自動プリントが正常に完了したものであるかが区別することができないという問題があった
【０００８】さらに、自動プリントが終了して所望のプリントが得られた場合、その自動プリントを指定するプリントジョブ情報そのままにしておくと、記録されている自動プリントファイルによって、操作者の意に反して２回以上の自動プリントを実行してしまうことが発生し、この場合も、無駄なプリントを出力されるという問題があった。
【０００９】このように、従来例では、自動プリントが中断されないようにしてから自動プリント動作を開始する点について考慮されているものの、万が一その自動プリントが予期せぬ自体によって中断された場合に、適切に自動プリント動作を再開する点については考慮されておらず使い勝手が悪かった。
【００１０】本発明はこのような従来技術の欠点を解消し、
指定した自動プリント動作を適切に実行して、指定されたプリントを過不足なく確実に得ることができ、また操作性のよい
プリンタ装置を提供することを目的と
　
（２）「【００１５】
【発明の実施の形態】次に添付図面を参照して本発明が適用されたプリンタの一実施例を詳細に説明する。図２を参照すると本実施例におけるプリンタ10の外観図が示されている。このプリンタ10は、熱によってシアン、マゼンタおよびイエローの各発色層にてそれぞれ発色し所望のカラー画像を形成する記録紙12を発熱ヘッドによって加熱して、メモリカード16に記録されたカラー画像をその記録紙12に記録するTA方式のビデオプリンタである。このプリンタ10はまた、発熱ヘッドと記録紙との間に顔料等をフィルム上に塗布したインクシートを挟み、その顔料等を熱によって溶融または昇華させて記録紙に転写する熱転写方式によって画像を形成することもできる。本実施例におけるプリンタ10は、
メモリカード16
に記録された画像データを印刷する際に、操作者が画像の１コマ１コマをその都度指定してプリントを実行させる個別プリント機能と、所望の複数の画像プリントを得るための自動プリントファイルを予め作成してメモリカード16に記録しておき、プリンタ10に自動プリントファイルの内容を読み込んで、その内容によって指定されるコマ番号や枚数等の情報に従って所望の画像をプリント出力する自動プリント機能とを有する多機能プリンタ
【００１６】このプリンタ10は、図示するように、使用前の記録紙12を収容するペーパマガジン14をその前面に装着し、また、
メモリカード16をその挿入口18に差し込んで、メモリカード16の記録情報を記録紙12にプリントし、画像が印刷された記録紙を排出口20より排出する画像形成装置である
【００１７】プリンタ10には、本装置10の電源を投入する電源スイッチ22と、各種操作を取り消すためのキャンセル釦24であってたとえば自動プリントの実行を途中でキャンセルさせるキャンセル釦24と、メモリカード16に記録されている自動プリントのための情報に従ってメモリカード16に記憶された画像情報を自動的にプリント開始させるための自動プリント釦26と、記憶された画像情報を順送り釦(+) 28および逆送り釦(-) 30を使用して任意に指定した画像情報を１枚ずつプリントさせる個別プリント釦32とがそれぞれ装置上面に配設されている。
【００１８】電源スイッチ22の近傍には電源の投入状態を表示する電源パイロットLED 34が配置され、自動プリント釦26の近傍には自動プリント有効表示LED 35が配置され、個別プリント釦32の近傍には個別プリント有効LED 36が配置されており、個別プリント有効LED 36の本体奥側には前述の逆送り釦30および順送り釦28が順に配置されている。また、本装置10前面の挿入口18の近傍左上にはカード状態表示LED 37が配置され、排出口20の近傍左上にはプリント状態表示LED 38が配置されている。
【００１９】自動プリント有効表示LED 36は、自動プリント機能の可能・不能表示を緑の点灯・消灯で示し、自動プリント中でその状態が継続していることを緑の点滅で示し、さらに、最後に実行した自動プリントが途中で中断しており現在はその自動プリントの再開続行が不能であることを赤の点滅にて示す。個別プリント有効LED 38は、１枚毎のプリント指定でプリントする個別プリントの有効無効を緑の点灯消灯で示す。カード状態表示LED 37は、メモリカード16がスロット40に装着されていない場合やプリント可能な画像がメモリカード16に記録されていない場合に赤の点滅で示し、それ以外の場合には緑の点灯で示す。プリント状態表示LED38は、正常にプリント処理を実行中の場合に点灯し、紙切れ等のトラブル発生時には点滅する。それ以外のときには消灯する。
【００２０】このプリンタ10は、図１にその内部構成を示すように、
メモリカード16を着脱自在に装着するカードスロット40と、メモリカード16に対する情報の書込みおよび読出しを制御するメモリカードコントローラを有するカードインタフェース(I/F) 回路42とを有し、カードインタフェース回路42はメモリカード16から読み出した情報をバス44に出力する。バス44には、上述の電源スイッチ22、キャンセル釦24、自動プリント釦26、順送り釦28、逆送り釦30および個別プリント釦32と、これらスイッチおよび操作釦への操作状態を検出する検出回路とを含む操作部46が接続され、操作部46は検出された操作状態に応じた検出信号をバス40に出力する。バス44にはさらに上述の電源パイロットLED 34、自動プリント有効表示LED36および個別プリント有効LED 38と、これら表示器を点灯、消灯もしくは点滅させる点灯駆動回路とを含む表示部48とが接続され、表示部48は、バス44から供給される制御信号に従ってこれら表示器を明滅させる
【００２１】
バス44にはさらに、本装置10の各部を制御する制御部(CPU) 50と、メモリカード16から読み出された１コマもしくは複数コマの画像を表わす画像情報を一時格納するフレームメモリ52とが接続され、制御部50は、メモリカード16から読み出された圧縮画像データをその圧縮方式に応じて解凍してラスタデータに変換し、変換されたビットイメージの画像データをフレームメモリ52に格納する。制御部50は、メモリカード16に記録された自動プリントファイル（以下、ATP ファイルと称する）の内容に従って、フレームメモリ52に格納された画像情報をプリントエンジン54に供給させて、所望の画像をプリントさせる制御を行なう
【００２２】
バス44には、上述のTA方式および熱転写方式の印刷を実行するプリントエンジン54が接続されており、制御部50は、フレームメモリ52に一時格納された画像データをプリントエンジン54に供給し、プリントエンジン54は、供給される画像データを発熱ヘッドの発熱素子数に応じたシリアルのデータ列に変換して発熱ヘッドに供給し、ライン上に300DPIの密度にて形成された発熱ヘッドの各発熱素子をデータ列に従って発熱させる。プリントエンジン54は、記録紙12をライン毎に搬送して各ラインの画像形成を繰り返し、面積階調もしくは濃度階調方式によりカラー画像を形成する
【００２３】
バス44に接続された表示制御部58は、フレームメモリ52から読み出される画像データを、出力端子60に接続される外部接続のモニタ装置62に適合する形式の画像信号に変換してモニタ装置62に供給する。表示制御部58は、制御部50より送られるコマンドに従って、本装置の動作状態や画像データに関する情報等の操作者に通知するメッセージをモニタ装置62に表示させる機能を有している。たとえば、モニタ装置62は、制御部50からの情報に従って注意(Warning) 項目を表示する。具体的には「注意１」は「カードを挿入してください」、「注意２」は「カードに画像がありません」、「注意３」は「中断された自動プリントがあります。続行しますか？」、「注意４」は「中断された自動プリントがありますが、カードが異なり続行できません」、「注意５」は「この自動プリントは、前にも実行されました。再実行しますか？」のメッセージをそれぞれ意味し、
【００２４】
本実施例における制御部50は、バス44に接続されたEEPROM等の半導体メモリにて構成された不揮発性メモリ56に、ATP ファイルに従って自動プリントする際の動作履歴および動作状態を示すプリント履歴情報を格納させる機能を有する。制御部50は、不揮発性メモリ56に格納されたプリント履歴情報に基づいて、自動プリントの実行状態を認識する。たとえば、制御部50は、自動プリント状態において、プリントが中断したことやプリントが正常に終了したことなどを認識し、この認識結果に基づいて、自動プリントを再開するかどうかを決定する。
【００２５】
制御部50は、プリントエンジン54にて記録紙の紙切れや発熱ヘッドの過加熱状態
などのようなトラブルが発生し、現在進行中のプリントが継続不可となるとこれを検出し、プリント状態LED 38を点滅させて、そのトラブル発生を操作者に通知する。これらプリント継続不可原因が消滅すると、制御部50は、装置10内の各部を初期化して新たな処理・操作に備えるとともに、プリント動作を続行可能であるかどうかを判断する。また、制御部50は、自動プリント実行中に電源断が発生し、その後電源が再投入された際に、ATP ファイル500 およびプリント履歴情報を参照して、自動プリントを再開する必要があるかどうかを判断し、その判断結果に応じたプリントモードに移行する
【００２６】本実施例におけるメモリカード16は、たとえばEEPROMやバッテリバックアップされたSRAM等の半導体メモリを有し、その記憶領域には、図３に示すように、階層的に分類されたディレクトリに画像データやATP ファイル500 が格納されている。この
メモリカード16は、
ディジタルカメラに装着されて、撮像画像をデジタル値で圧縮符号化した画像データがルートディレクトリ(Root)以下に作成されたイメージディレクトリ(IMAGES)に格納される。画像データのファイル名は「IMGnnnnn.JPG」であり、このファイル名における「nnnnn 」は整数値を示し、たとえば撮影順の連続番号、つまり画像のコマ番号である。また「JPG 」は、JPEG方式によって符号化された画像データであることを示している。また、本実施例におけるATP ファイルは、ルートディレクトリにファイル名「PRT_INFO.TXT」としてそのファイルスタンプとともに記録され、そのファイル内容は、自動プリントのために必要な指定情報をテキスト形式にて記述され
【００２７】詳しくは図５に示すように、ATP ファイル500 は、
自動プリントを行なうための各ジョブ毎に、画像ファイルのプリント条件などに関する情報を記録しておくものであ
【００２８】ここで各ジョブの記述例を同図を参照して簡潔に説明すると、画像ファイルIMG00001.JPGのジョブはジョブID(JOB_ID)＝01として指定されており、プリント種別は「標準(STANDARD)」、プリント枚数(QUANTITY)は「１枚」、画像ファイルのパスは「FILE=\IMAGES\IMG.00001.JPG」となっている。同様に画像ファイルIMG00003.JPGのジョブは、ジョブID＝02として指定されており、プリント枚数が「８枚」として指定されている。同様に画像ファイルIMG00004.JPGのジョブは、ジョブID＝03として指定されておりプリント枚数は「４枚」と指定されている。このように本実施例では、ジョブ単位で１つの画像ファイルをプリントするように指定し、複数のジョブを記述するようにATP ファイル500 が構築され、１つのジョブ内にて所望の画像ファイルを複数枚プリントすることが可能となっている。
【００２９】本実施例における
プリンタ10は、上述のようなATP ファイル500 に従って自動プリントをする際に、プリント中の状態およびプリント結果等を表わすプリント履歴情報を作成して、その自動プリント動作におけるプリント状態を管理する機能を備え
制御部50は、ATP ファイル500 に従って自動プリントを実行する際に、自動プリント動作の実行状態を示すプリント履歴情報を不揮発性メモリ56に記憶させ、自動プリントの進行状態に応じてプリント履歴情報の内容を更新してゆく
【００３０】
このプリント履歴情報の一例を図４に示すと、不揮発性メモリ56には、最後に実行した自動プリント時における各情報、つまり、最新の自動プリント実行時におけるプリント履歴を示すための以下の情報が記憶される
【００３１】
タイムスタンプ400 は、ATP ファイル500 がメモリカード16に作成および更新された際にその記録時の日付と時刻とがメモリカード16に記録されており、制御部50によりこのタイムスタンプが読み出されて不揮発性メモリ56に書き込まれる。不揮発性メモリ56
に書き込まれたタイムスタンプ400 によって、自動プリントが中止されてその後自動プリントを再開する際に、カードスロット40に装着されているメモリカード16が、プリント履歴情報を記憶した際にカードスロット40に装着されて自動プリントを行なっていたメモリカード16であることがそれぞれのタイムスタンプを比較することで特定することができる
【００３２】
ステータス情報402 は、自動プリントの進行状態を表わす情報であり、制御部50により不揮発性メモリ56に書き込まれる。ステータス情報402 が”０”の場合には自動プリント実行中である場合に書き込まれ、これにより、最後に実行した自動プリントが予期せぬ理由により途中で中止された場合であってもこの値が不揮発性メモリ56に保持されていることになる。また、ステータス情報402 が”１”の場合には、ATP ファイル500 にて指定されていた自動プリントがすべて完了した際に不揮発性メモリ56に書き込まれ、さらにステータス情報402 が”２”の場合には、自動プリントがキャンセル釦24等によってキャンセルされた際に不揮発性メモリ56に書き込まれる。これらステータスによって、制御部50
は、ATP ファイル500 によって指定されている自動プリントが完了したものであるか否かを判別することができる
【００３３】
処理中JOB_ID 404は、自動プリントを実行している際における処理中のジョブIDが制御部50により不揮発性メモリ56に書き込まれる。最後に実行した自動プリントが予期せぬ理由により途中で中止されてしまっても、中止された時点でのジョブIDが不揮発性メモリ56に保持されていることとなり、自動プリントを再実行する際に制御部50は、保持されているジョブID以降のジョブに指定されているジョブに対する自動プリント動作を行なうことができる
【００３４】
完了枚数406 は、処理中のジョブにおけるプリント完了枚数を示し、最後に実行した自動プリントにおいて処理中のジョブにて、プリントが完了した枚数が制御部50によって不揮発性メモリ56に書き込まれる。制御部50は、一旦中止された自動プリントを再開する際に、中止された時点でのJOB IDにおいてプリントが作成された枚数を認識し、ATP ファイル500 に記録されたそのジョブにおけるプリント指定枚数と完了枚数406 との差に応じた枚数をプリントするように制御する
【００３５】ここで図４に示した例の内容を説明すると、プリント履歴情報は、西暦1998年１月１日12時30分０秒に作成されたATP ファイル500 に基づいて自動プリントを実行した場合で、IMG00003.JPGに対するプリント指定のプリントジョブ２において、指定された８枚中、４枚までのプリント動作が完了したことを示している。これらプリント履歴情報は、本実施例では不揮発性メモリ56にASCII コードもしくはバイナリデータ等の所定の形式にて記録される。本実施例における不揮発性メモリ56は半導体メモリにて構成しているが、たとえば情報を磁気情報によって記録する磁気記録方式によってプリント履歴情報を記憶保持してもよい。
【００３６】次に、制御部50の制御機能について詳細に説明すると、制御部50は、自動プリント機能に関する状態を表示するステータス表示機能を有している。制御部50は、その状態を本体表面上に設けた各表示LED を明滅させて操作者に知らせる。自動プリント有効表示LED 35は、たとえば赤色と緑色のLED 素子にて構成されており、制御部50は、メモリカード16がスロット40に挿入されたときに、メモリカード16に有効なATP ファイル500 が格納されていればLED 35に緑色光を発光させ、ATP ファイル500 がなければ消灯させる。また、中途で終了した旨が記録されたプリント履歴情報がメモリカード16に格納されている場合で、自動プリントを再開して継続することが可能な場合は、LED 35に緑色光を点滅させ、自動プリントを再開することが不可能な場合にはLED 35に赤色光を点滅させる。
【００３７】
制御部50は、不揮発性メモリ56に格納されているタイムスタンプと、メモリカード16に記録されているATP ファイル500 のタイムスタンプとを比較して、両者が一致しない場合に、前回とは異なるメモリカードに差し替えられていることを認識し、自動プリントの再開が不可能であると判断する。このように制御部50は、自動プリントの再開対象となるメモリカード16がスロット40から抜去されていることを認識すると自動プリントを再開することが不可能であると判断し、LED35を赤色にて点滅させる。自動プリントの再開処理が可能であるか否かをファイルスタンプに基づいて判断している
【００３８】また、制御部50は、同一のATP ファイル500 による自動プリント動作を連続して複数回繰り返さないように、自動プリント動作を一旦停止してその旨を表示する機能を有している。詳しくは、自動プリントを実行する場合に、不揮発性メモリ56に記憶されているプリント履歴情報に基づいて、この履歴情報を作成した際のATP ファイル500 をそのタイムスタンプやボリュームラベル等によって特定し、現在メモリカード16に記憶されているATP ファイル500 が、前記特定したATPファイルと同一であるか否かを照合する機能を有する。制御部50は、これらATPファイルが同一であった場合には、処理を一旦停止して、その自動プリントはすでに実行された旨を表示させる「注意５」をモニタ装置60に表示させる。ここでキャンセル釦24が押下されるとその自動実行プリント処理を取りやめて、同一のATP ファイルによる自動プリント処理を行なうことを防止することができる。また、ここで、自動プリント釦26が押下されると、「注意５」の表示出力を消去させるとともに、その同一のATP ファイルに従って自動プリント処理を再実行させることもできる。
【００３９】また、制御部50は、電源の投入時やメモリカード16の挿入時に、不揮発性メモリ56の記憶内容を調べて、プリント履歴情報が記憶されているか否かを識別する。この場合、ATP ファイル500 が存在しなかったときには個別プリントモードに移行する。また、ATP ファイル500 の存在を確認した場合には、個別プリントモードおよび自動プリントモードへの移行が可能となる。ATP ファイル500 が記憶されている場合には、さらにプリント履歴情報を参照して、前述のように自動プリント機能の状態を表示し、状況に応じて同一のATP ファイル500 による自動プリントの再実行防止のための注意表示を行なう。」
　
（３）上記（１）及び（２）からみて、引用例には、
「メモリカードに書き込まれている画像データをプリントジョブ情報で指定された枚数および順序でプリントするプリンタシステムに関し、
　従来のプリンタシステムは、自動プリントを実行中に、たとえばプリント途中で紙切れが発生したり、突然に電源断となるような状態が発生したりする場合など予期せぬ原因によって自動プリント動作が途中で中断されると、たとえその後にプリンタが動作可能状態に復帰した場合では、その自動実行中のプリント動作を中断途中から再開することができず、また、自動プリントを行なうためのプリントジョブ情報がメモリカードに記憶されていなければ自動プリントは実行できないが、操作者は外観的には自動プリントファイルがメモリカードに格納されているかどうかを判別することができず、さらには、プリントジョブ情報がメモリカードに記録されていたとしても、自動プリントが途中で中断されたものであるか、自動プリントが正常に完了したものであるかが区別することができないという問題があったので、
　指定した自動プリント動作を適切に実行して、指定されたプリントを過不足なく確実に得ることができ、また操作性のよいプリンタ装置を提供することを目的とし、
　メモリカードに記録された画像データを印刷する際に、操作者が画像の１コマ１コマをその都度指定してプリントを実行させる個別プリント機能と、所望の複数の画像プリントを得るための自動プリントファイルを予め作成してメモリカードに記録しておき、プリンタに自動プリントファイルの内容を読み込んで、その内容によって指定されるコマ番号や枚数等の情報に従って所望の画像をプリント出力する自動プリント機能とを有する多機能プリンタであり、かつ、メモリカードをその挿入口に差し込んで、メモリカードの記録情報を記録紙にプリントし、画像が印刷された記録紙を排出口より排出する画像形成装置であるプリンタであって、
　メモリカードを着脱自在に装着するカードスロット、メモリカードコントローラを有するカードインタフェース回路、バス、電源スイッチや操作釦を含む操作部、表示部、各部を制御する制御部、前記メモリカードから読み出された１コマもしくは複数コマの画像を表わす画像情報を一時格納するフレームメモリ、供給される画像データを発熱ヘッドの発熱素子数に応じたシリアルのデータ列に変換して発熱ヘッドに供給してライン上に300DPIの密度にて形成された発熱ヘッドの各発熱素子をデータ列に従って発熱させるプリントエンジン、外部接続のモニタ装置、及び、EEPROM等の半導体メモリにて構成された不揮発性メモリを備え、
　前記プリントエンジンは、記録紙をライン毎に搬送して各ラインの画像形成を繰り返し、面積階調もしくは濃度階調方式によりカラー画像を形成するものであり、
　前記モニタ装置は、「カードを挿入してください」、「カードに画像がありません」、「中断された自動プリントがあります。続行しますか？」、「中断された自動プリントがありますが、カードが異なり続行できません」及び「この自動プリントは、前にも実行されました。再実行しますか？」のメッセージをそれぞれ意味する注意項目である注意１ないし５を表示することができ、
　前記制御部は、前記メモリカードから読み出された圧縮画像データをその圧縮方式に応じて解凍してラスタデータに変換し、変換されたビットイメージの画像データを前記フレームメモリに格納し、前記メモリカードに記録された自動プリントファイルの内容に従って、前記フレームメモリに格納された画像情報を前記プリントエンジンに供給させて、所望の画像をプリントさせる制御を行うものであり、自動プリントファイルに従って自動プリントを実行する際に、プリント中の状態およびプリント結果等を表わすプリント履歴情報を作成して、その自動プリント動作におけるプリント状態を管理する機能を備えており、自動プリントファイルに従って自動プリントする際の動作履歴および動作状態を示すプリント履歴情報を前記不揮発性メモリに格納させ、自動プリントの進行状態に応じて該プリント履歴情報の内容を更新してゆき、前記不揮発性メモリに格納されたプリント履歴情報に基づいて、自動プリントの実行状態、例えば、自動プリント状態において、プリントが中断したことやプリントが正常に終了したことなどを認識し、この認識結果に基づいて、自動プリントを再開するかどうかを決定し、前記プリントエンジンにて記録紙の紙切れや発熱ヘッドの過加熱状態などのようなトラブルが発生し、現在進行中のプリントが継続不可となるとこれを検出し、そのトラブル発生を操作者に通知し、これらプリント継続不可原因が消滅すると、プリンタ内の各部を初期化して新たな処理・操作に備えるとともに、プリント動作を続行可能であるかどうかを判断し、また、自動プリント実行中に電源断が発生し、その後電源が再投入された際に、自動プリントファイル及びプリント履歴情報を参照して、自動プリントを再開する必要があるかどうかを判断し、その判断結果に応じたプリントモードに移行するものであり、
　前記メモリカードは、ディジタルカメラに装着されて、撮像画像をデジタル値で圧縮符号化した画像データがルートディレクトリ以下に作成されたイメージディレクトリに格納されるものであり、前記画像データのファイル名は「IMGnnnnn.JPG」であり、このファイル名における「nnnnn 」は整数値を示し、撮影順の連続番号、つまり画像のコマ番号であり、また「JPG 」は、JPEG方式によって符号化された画像データであることを示し、
　前記自動プリントファイルは、ルートディレクトリにファイル名「PRT_INFO.TXT」としてそのファイルスタンプとともに記録され、そのファイル内容は、自動プリントのために必要な指定情報をテキスト形式にて記述されたものであって、自動プリントを行なうための各プリントジョブ毎に、画像ファイルのプリント条件などに関する情報を記録しておくものであり、
　前記プリント履歴情報の一例を示すと、タイムスタンプ、ステータス情報、処理中JOB_ID及び完了枚数であり、
　前記タイムスタンプは、自動プリントファイルがメモリカードに作成及び更新された際にその記録時の日付と時刻とがメモリカードに記録されたものであって、前記制御部によりこのタイムスタンプが読み出されて前記不揮発性メモリに書き込まれ、前記不揮発性メモリに書き込まれたタイムスタンプによって、自動プリントが中止されてその後自動プリントを再開する際に、前記カードスロットに装着されているメモリカードが、前記プリント履歴情報を記憶した際に前記カードスロットに装着されて自動プリントを行なっていたメモリカードであるか否かが、不揮発性メモリに書き込まれたタイムスタンプ及び再開する際に装着されているメモリカードのタイムスタンプを比較することで特定することができるようにするものであり、
　前記ステータス情報は、自動プリントの進行状態を表わす情報であり、前記制御部により前記不揮発性メモリに書き込まれ、この値が”０”の場合には自動プリント実行中であることを示すものあり、最後に実行した自動プリントが予期せぬ理由により途中で中止された場合であってもこの値”０”が前記不揮発性メモリに保持され、この値が”１”の場合には自動プリントファイルにて指定されていた自動プリントがすべて完了していることを示すものあり、また、この値が”２”の場合には自動プリントがキャンセルされていることを示すものあって、自動プリントファイルによって指定されている自動プリントが完了したものであるか否かを前記制御部が判別できるようにするものであり、
　前記処理中JOB_IDは、自動プリントを実行している際における処理中のジョブIDであり、最後に実行した自動プリントが予期せぬ理由により途中で中止されてしまっても、中止された時点でのジョブIDが前記不揮発性メモリに保持されていることとなり、自動プリントを再実行する際に前記制御部は、保持されているジョブID以降のプリントジョブに指定されているプリントジョブに対する自動プリント動作を行なうことができるようにするものであり、
　前記完了枚数は、処理中のプリントジョブにおけるプリント完了枚数を示し、最後に実行した自動プリントにおいて処理中のプリントジョブにて、プリントが完了した枚数が前記制御部によって前記不揮発性メモリに書き込まれるので、前記制御部は、一旦中止された自動プリントを再開する際に、中止された時点でのJOB IDにおいてプリントが作成された枚数を認識し、自動プリントファイルに記録されたそのプリントジョブにおけるプリント指定枚数と完了枚数との差に応じた枚数をプリントするように制御することができるようにするものであり、
　前記制御部は、前記不揮発性メモリに格納されているタイムスタンプと、前記メモリカードに記録されている自動プリントファイルのタイムスタンプとを比較して、両者が一致しない場合に、前記カードスロットに装着されているメモリカードが、前記プリント履歴情報を記憶した際に前記カードスロットに装着されて自動プリントを行なっていたメモリカードとは異なるメモリカードに差し替えられていることを認識し、自動プリントの再開が不可能であると判断するようにしたプリンタ。」の発明（以下「引用発明」という。）が記載されているものと認められる。
　
４　対比
　本願発明と引用発明とを対比する。
（１）引用発明の「装着」、「メモリカード」、「画像データ」、「読み出された圧縮画像データをその圧縮方式に応じて解凍してラスタデータに変換し、変換されたビットイメージの画像データを前記フレームメモリに格納し」、「『プリント』する『枚数および順序』を『指定』する『プリントジョブ情報』である『自動プリントのために必要な指定情報』」、「プリントする」、「プリンタ」、「『自動プリントファイルがメモリカードに作成及び更新された際にその記録時の日付と時刻とがメモリカードに記録されたもの』である『タイムスタンプ』」、「EEPROM等の半導体メモリにて構成された不揮発性メモリ」、「書き込まれ」、「各部を制御する制御部」、「『自動プリントファイルに記録されたそのプリントジョブにおけるプリント指定枚数と完了枚数との差に応じた枚数』における『完了枚数』」、「自動プリント実行中に電源断が発生し、その後電源が再投入された際に」、「前記不揮発性メモリに格納されているタイムスタンプ」、「『前記カードスロットに装着され』ている『前記メモリカードに記録されている自動プリントファイルのタイムスタンプ』」、「前記カードスロットに装着されているメモリカード」、「前記プリント履歴情報を記憶した際に前記カードスロットに装着されて自動プリントを行なっていたメモリカード」及び「異なるメモリカードに差し替えられていることを認識し、自動プリントの再開が不可能であると判断する」は、それぞれ、本願発明の「装着」、「記録メディア」、「画像ファイル」、「読み出し」、「印刷指定情報」、「印刷処理を実行する」、「プリンタ装置」、「ファイル関連情報」、「不揮発性メモリ」、「記憶させる」、「『第１記憶制御手段』、『第２記憶制御手段』及び『判断手段』」、「印刷残り情報」、「一旦電源がＯＦＦされた後の電源ＯＮ時に」、「前記不揮発性メモリ内の前記ファイル関連情報」、「装着状態の記録メディアから得られるファイル関連情報」、「当該装着状態の記録メディア」、「前記電源のＯＦＦ前に装着されていた状態の記録メディア」及び「同一であるかどうかを判断する」に相当する。
　
（２）引用発明の「プリンタ装置（プリンタ）」は、「記録メディア（メモリカード）」に書き込まれている「画像ファイル（画像データ）」を「印刷指定情報（プリントジョブ情報）」で指定された枚数および順序でプリントするプリンタシステムに関するものであり、「記録メディア」を着脱自在に装着するカードスロット、各部を制御する制御部及び前記「記録メディア」から読み出された１コマもしくは複数コマの画像を表わす画像情報を一時格納するフレームメモリを備え、前記制御部は、前記「記録メディア」から読み出された圧縮「画像ファイル」をその圧縮方式に応じて解凍してラスタデータに変換し、変換されたビットイメージの「画像ファイル」を前記フレームメモリに格納し、前記メモリカードに記録された自動プリントファイルの内容に従って、前記フレームメモリに格納された画像情報を前記プリントエンジンに供給させて、所望の画像を「印刷処理を実行（プリント）」させる制御を行うものであるものであるから、本願発明の「プリンタ装置」と、「装着された記録メディアから画像ファイルを読み出し、印刷指定情報に基づいて印刷処理を実行するようにした」ものである点で一致する。
　
（３）上記（１）に照らせば、引用発明の「『自動プリントファイルがメモリカードに作成及び更新された際にその記録時の日付と時刻とがメモリカードに記録』された『タイムスタンプ』」が「第１記憶制御手段（各部を制御する制御部）」により「読み出されて前記不揮発性メモリに書き込まれ」る点と、本願発明の「第１記憶制御手段」が「前記記録メディアから前記画像ファイルに関する情報である親フォルダのフォルダサイズ及び／又は画像ファイルのファイルサイズを含むファイル関連情報を読み出して不揮発性メモリに記憶させる」点とは、「第１記憶制御手段」が「前記記録メディアからファイル関連情報を読み出して不揮発性メモリに記憶させる」点で一致するといえるから、引用発明の「第１記憶制御手段」と本願発明の「第１記憶制御手段」とは「前記記録メディアからファイル関連情報を読み出して不揮発性メモリに記憶させる」ものである点で一致する。
　
（４）引用発明の「印刷残り情報（完了枚数）」は、処理中のプリントジョブにおけるプリント完了枚数を示し、最後に実行した自動プリントにおいて処理中のプリントジョブにて、プリントが完了した枚数が前記「第２記憶制御手段（制御部）」によって前記「不揮発性メモリ」に「記憶される（書き込まれる）」ので、前記「第２記憶制御手段」は、一旦中止された自動プリントを再開する際に、中止された時点でのJOB IDにおいてプリントが作成された枚数を認識し、自動プリントファイルに記録されたそのプリントジョブにおけるプリント指定枚数と「印刷残り情報（完了枚数）」との差に応じた枚数をプリントするように制御することができるようにするものであり、引用発明において、プリントジョブは画像データをプリントするジョブであるから、引用発明の「第２記憶制御手段」と本願発明の「第２記憶制御手段」とは「画像ファイルの印刷残り情報を不揮発性メモリに記憶させる」ものである点で一致するといえる。
　
（５）引用発明の「判断手段（各部を制御する制御部）」は、「一旦電源がＯＦＦされた後の電源ＯＮ時に（自動プリント実行中に電源断が発生し、その後電源が再投入された際に）」、自動プリントファイル及びプリント履歴情報を参照して、自動プリントを再開する必要があるかどうかを判断し、その判断結果に応じたプリントモードに移行するものであって、該プリント履歴情報には「ファイル関連情報（タイムスタンプ）」が含まれており、前記「不揮発性メモリ」に格納されている「ファイル関連情報」と、前記「記録メディア（メモリカード）」に記録されている自動プリントファイルの「ファイル関連情報」とを比較して、両者が一致しない場合に、前記カードスロットに装着されている「記録メディア」が、前記プリント履歴情報を記憶した際に前記カードスロットに装着されて自動プリントを行なっていた「記録メディア」とは異なる「記録メディア」に差し替えられていることを認識し、自動プリントの再開が不可能であると判断するものであるから、本願発明の「判断手段」と、「一旦電源がＯＦＦされた後の電源ＯＮ時に前記不揮発性メモリ内の前記ファイル関連情報と装着状態の記録メディアから得られるファイル関連情報とに基づいて、当該装着状態の記録メディアが前記電源のＯＦＦ前に装着されていた状態の記録メディアと同一であるかどうかを判断する」ものである点で一致するといえる。
　
（６）上記（１）ないし（５）からみて、本願発明と引用発明とは、
「装着された記録メディアから画像ファイルを読み出し、印刷指定情報に基づいて印刷処理を実行するようにしたプリンタ装置において、前記記録メディアからファイル関連情報を読み出して不揮発性メモリに記憶させる第１記憶制御手段と、画像ファイルの印刷残り情報を不揮発性メモリに記憶させる第２記憶制御手段と、一旦電源がＯＦＦされた後の電源ＯＮ時に前記不揮発性メモリ内の前記ファイル関連情報と装着状態の記録メディアから得られるファイル関連情報とに基づいて、当該装着状態の記録メディアが前記電源のＯＦＦ前に装着されていた状態の記録メディアと同一であるかどうかを判断する判断手段と、を備えたプリンタ装置。」である点で一致し、次の点で相違する。
　
相違点：
　前記ファイル関連情報が、本願発明では、前記画像ファイルに関する情報である親フォルダのフォルダサイズ及び／又は画像ファイルのファイルサイズを含むのに対して、引用発明では、そのようなサイズを含んでいない点。
　
５　判断
　上記相違点について検討する。
（１）複数のファイルの同一性を判断する指標としてファイルサイズは本願出願前に周知である（以下「周知技術」という。例．特開２００１−３０６３７６号公報（【００１５】、【００１７】、【００１９】、【００２４】、図５及び図６参照。）、特開平１１−２３２１５９号公報（【０００２】参照。）、特開２００２−２２２１９７号公報（【０００４】及び【０００６】参照。）、特開平９−３３０１９６号公報（【００３０】及び【００３１】参照。）、特開平６−１６８１１４号公報（【００３２】参照。「ファイル長」及び「特定」が「ファイルサイズ」及び「同一性の判断」に相当する。））。
　
（２）引用発明の「判断手段」は、一旦電源がＯＦＦされた後の電源ＯＮ時に、当該装着状態の記録メディアが前記電源のＯＦＦ前に装着されていた状態の記録メディアと同一であるかどうかを判断する際に、第１記憶制御手段が記録メディアから読み出して不揮発性メモリに記憶させた「ファイル関連情報」と、装着状態の記録メディアから得られる「ファイル関連情報」とを用いており、ここで、両「ファイル関連情報」は、いずれも自動プリントファイルがメモリカードに作成及び更新された際にその記録時の日付と時刻とがメモリカードに記録されたものであるタイムスタンプであって、引用発明においては、両タイムスタンプを比較して、両者が一致しない場合に、「当該装着状態の記録メディア（カードスロットに装着されているメモリカード）」が、「前記電源のＯＦＦ前に装着されていた状態の記録メディア（前記プリント履歴情報を記憶した際に前記カードスロットに装着されて自動プリントを行なっていたメモリカード）」とは異なるメモリカードに差し替えられているとの「判断」を行うようにしてあるから、引用発明の「判断手段」は、２つの記録メディアの「状態の変化も含む同一性」を、２つの記録メディアのそれぞれに記憶されている２つのファイルの同一性で判断するようにしたものといえる。
　しかるところ、引用発明の「記録メディア（メモリカード）」は、ディジタルカメラに装着されて、撮像画像をデジタル値で圧縮符号化した画像データがルートディレクトリ以下に作成されたイメージディレクトリに格納されるものであり、前記画像データのファイル名は「IMGnnnnn.JPG」であり、このファイル名における「nnnnn 」は整数値を示し、撮影順の連続番号、つまり画像のコマ番号であることを示すものであるから、明らかに複数の画像データファイルを格納できるようになっており、前記ルートディレクトリには、自動プリントファイルも、ファイル名「PRT_INFO.TXT」としてそのファイルスタンプとともに記録されるのであるから、引用発明の「記録メディア（メモリカード）」に記憶されているファイルは、自動プリントファイルに限らず複数あるのが一般的である。
　そうすると、引用発明において、２つの記録メディアのそれぞれに１つずつ記憶されているファイルの組の全ての組について、各組の２つのファイルの同一性を判断しなければ、２つの記録メディアの「状態の変化も含む同一性」を、ファイルの同一性でもって判断することはできないといえ、このことは当業者に自明の事項である。
　したがって、引用発明において、前記制御部が、メモリカードに記録された自動プリントファイルのタイムスタンプを読み出して不揮発性メモリに書き込む際に、メモリカードに記録された自動プリントファイルのファイルサイズも同様にし、さらには、画像データを含むメモリカードに記録されている全てのファイルについて、そのタイムスタンプ及びファイルサイズを読み出して不揮発性メモリに書き込み、自動プリントが中止されてその後自動プリントを再開する際に、前記カードスロットに装着されているメモリカードが、前記プリント履歴情報を記憶した際に前記カードスロットに装着されて自動プリントを行なっていたメモリカードであるか否かが、不揮発性メモリに書き込まれた全てのタイムスタンプ及びファイルサイズと、再開する際に装着されているメモリカード内の全てのファイルのタイムスタンプ及びファイルサイズとを比較することでより正確に特定することができるようになすことは、当業者が周知技術に基づいて容易に想到することができた程度のことである。
　
（３）引用発明において、上記（２）のように、前記制御部が、画像データを含むメモリカードに記録されている全てのファイルについて、そのタイムスタンプ及びファイルサイズを読み出して不揮発性メモリに書き込み、自動プリントが中止されてその後自動プリントを再開する際に、前記カードスロットに装着されているメモリカードが、前記プリント履歴情報を記憶した際に前記カードスロットに装着されて自動プリントを行なっていたメモリカードであるか否かが、不揮発性メモリに書き込まれた全てのタイムスタンプ及びファイルサイズと、再開する際に装着されているメモリカード内の全てのファイルのタイムスタンプ及びファイルサイズとを比較することでより正確に特定することができるようになすことは、引用発明において、前記ファイル関連情報に、前記画像ファイルに関する情報である画像ファイルのファイルサイズを含ませることに相当するから、引用発明において、上記相違点に係る本願発明の構成となすことは、上記（２）からみて、当業者が周知技術に基づいて容易に想到することができた程度のことである。
　
（４）効果について
　本願発明の奏する効果は、引用発明の奏する効果及び周知技術の奏する効果から当業者が予測できた程度のものである。
　
（５）まとめ
　以上のとおりであるから、本願発明は、当業者が引用例に記載された発明及び周知技術に基づいて容易に発明をすることができたものである。
　
６　むすび 
　本願発明は、当業者が引用例に記載された発明及び周知技術に基づいて容易に発明をすることができたものであるから、特許法第２９条第２項の規定により特許を受けることができない。
　よって、結論のとおり審決する。